(57)【特許請求の範囲】
【請求項１】
第１ファクシミリ装置からの受信画像データを第２ファクシミリ装置へ転送するファクシミリ装置において、前記転送における各ファクシミリ装置の番号の関係を登録している手段と、発信元を特定する発信元番号を前記登録している番号の関係に照合する手段と、その照合結果に基づいて、転送の実行・非実行を決定する手段と、前記受信画像データを格納する格納手段とを備えており、前記受信画像データの用紙への印刷の有無を選択でき、用紙への印刷が選択されている場合、前記発信元番号が前記登録している番号に一致しないときには、印刷終了後に前記格納手段に格納されている前記受信画像データを消去し、前記発信元番号が前記登録している番号に一致するときには、印刷と前記第２ファクシミリ装置への転送とが終了した後に前記格納手段に格納されている前記受信画像データを消去するように構成してあることを特徴とするファクシミリ装置。
【請求項２】
前記発信元番号は、呼び出し時に交換機から通知されるファクシミリ番号である請求項１記載のファクシミリ装置。
【請求項３】
前記発信元番号は、発信元から通知されるファクシミリ番号である請求項１記載のファクシミリ装置。
【発明の詳細な説明】
【０００１】
【発明の属する技術分野】
本発明は、他のファクシミリ装置から受信した画像データを更に他の１または複数のファクシミリ装置へ転送するファクシミリ装置に関する。
【０００２】
【従来の技術】
同じ画像データを１台のファクシミリ装置から複数のファクシミリ装置へ転送する場合、通信コストの低減，処理時間の短縮を図ることを目的として、１台のファクシミリ装置（以下親機という）から複数のファクシミリ装置（以下孫機という）へ直接並列的にファクシミリ通信を行うのではなく、その間に中継用のファクシミリ装置（以下子機という）を設けて自動中継通信を行うようにしたシステムが広く利用されている。
【０００３】
このようなシステム（中継同報）の場合には、親機から子機へ画像データと共に中継を指示する情報及び転送先である孫機を指定する情報を送信する。子機は、この親機からの情報に基づいて、親機から受信した画像データを、指定された孫機へ送信する。この場合、孫機を指定する情報を親機から指示する必要がある。
【０００４】
【発明が解決しようとする課題】
従来の自動中継通信における中継送信の手順は、ファクシミリ装置製造会社毎に独自に設定されているので、親機と子機とは同一の会社製でなければならないという問題がある。また、上述したように、孫機の指定に親機が関与しており、子機単独で孫機を指定できないという問題がある。
【０００５】
本発明は斯かる事情に鑑みてなされたものであり、親機と子機とが異なる会社製であっても中継送信が可能であり、孫機の指定を子機だけで行うことができる子機としてのファクシミリ装置を提供することを目的とする。
【０００６】
【課題を解決するための手段】
請求項１に係るファクシミリ装置は、第１ファクシミリ装置からの受信画像データを第２ファクシミリ装置へ転送するファクシミリ装置において、前記転送における各ファクシミリ装置の番号の関係を登録している手段と、発信元を特定する発信元番号を前記登録している番号の関係に照合する手段と、その照合結果に基づいて、転送の実行・非実行を決定する手段と、前記受信画像データを格納する格納手段とを備えており、前記受信画像データの用紙への印刷の有無を選択でき、用紙への印刷が選択されている場合、前記発信元番号が前記登録している番号に一致しないときには、印刷終了後に前記格納手段に格納されている前記受信画像データを消去し、前記発信元番号が前記登録している番号に一致するときには、印刷と前記第２ファクシミリ装置への転送とが終了した後に前記格納手段に格納されている前記受信画像データを消去するように構成してあることを特徴とする。
【０００７】
請求項２に係るファクシミリ装置は、請求項１において、前記発信元番号は、呼び出し時に交換機から通知されるファクシミリ番号であることを特徴とする。
【０００８】
請求項３に係るファクシミリ装置は、請求項１において、前記発信元番号は、発信元から通知されるファクシミリ番号であることを特徴とする。
【０００９】
ファクシミリ通信の中継システムにあっては、１つの親機に対する送信対象の孫機は特定されている場合が多いと考えられる。よって、本発明の子機としてのファクシミリ装置にあっては、親機（第１ファクシミリ装置）のファクシミリ番号である発信元番号と、その親機についての送信対象の孫機（第２ファクシミリ装置）のファクシミリ番号である転送先番号との関係を示すテーブルを予め登録しておき、転送機能が設定されている場合に、取得した発信元番号と予め登録しておいた発信元番号とを照合し、両発信元番号が一致する場合に、親機から受信した画像データを、その登録テーブルを参照して自動的に所望の孫機へ送信する。この結果、親機と子機とが異なる会社製であっても中継送信は可能となり、親機からの指定がなくても子機単独で孫機を指定できる。
【００１０】
なお、この発信元番号としては、発信元の番号を通知するサービスを利用して呼び出し時に交換機から通知される番号を用いても良いし、または、ファクシミリ手順で発信元から通知される番号を用いても良い。
【００１１】
【発明の実施の形態】
以下、本発明をその実施の形態を示す図面に基づいて具体的に説明する。
図１は、本発明の転送機能付きのファクシミリ装置のハードウェア構成を示すブロック図であり、このファクシミリ装置は、Ｇ３方式及びＧ４方式のファクシミリ通信機能を有する。
【００１２】
図１において主制御部１は具体的にはＣＰＵで構成されており、バス２０を介して以下に説明するハードウェア各部と接続されていて、それらを制御すると共に、種々のソフトウェア的機能を実行する。スキャナ２は例えばＣＣＤを利用して送信用の原稿を読み取り、コーデック部３を介して白黒２値に変換した圧縮イメージデータが出力される。プリンタ４は例えば電子写真方式等のプリンタ装置であり、コーデック部５を介して入力されるファクシミリ通信により受信した画像データをハードコピーとして用紙に印字する。
【００１３】
ＲＯＭ６は、本発明のファクシミリ装置の動作に必要な種々のソフトウェアのプログラムを予め格納している。ＲＡＭ７は、ＳＲＡＭまたはフラッシュメモリ等で構成され、ソフトウェアの実行時に発生する一時的なデータを記憶する。また、このファクシミリ装置に画像データを送信する発信元のファクシミリ装置のファクシミリ番号である発信元番号と、このファクシミリ装置から画像データを送信する最終受信先のファクシミリ装置のファクシミリ番号である転送先番号との関係を表す図２に示すような登録テーブル７ａが、ＲＡＭ７の適宜の領域に予め格納されている。この登録テーブル７ａは、ユーザ操作により消去・更新・追加が可能である。
【００１４】
画像メモリ８は、ＤＲＡＭ等で構成され、送信すべき画像データまたは受信した画像データを格納する。表示部９は、液晶表示装置（ＬＣＤ）またはＣＲＴディスプレイ等の表示装置であり、本発明のファクシミリ装置の動作状態を表示したり、送信すべき原稿の画像データ，受信した画像データの表示を行う。操作パネル１０は、本発明のファクシミリ装置を操作するために必要な文字キー, テンキー (数字キー），短縮ダイヤルキー, ワンタッチダイヤルキー, 各種のファンクションキー等を備えている。コーデック部１１は、通信用のデータ変換を行う。
【００１５】
Ｇ３モデム１２は、画像データとアナログ音声信号との相互交換を行い、ＮＣＵ（Network Control Unit：回線制御装置）１３は、アナログデータ回線であるＰＳＴＮ回線２１の閉結及び開放の動作を制御し、必要に応じてＧ３モデム１２をＰＳＴＮ回線２１と接続する。
【００１６】
Ｇ３モデム１４は、画像データとアナログ音声信号との相互交換を行い、音声コーデック部１５は、アナログ音声信号とデジタルデータとの相互交換を行い、ＩＳＤＮインタフェイス部１６は、デジタルデータ回線であるＩＳＤＮ回線２２とのインタフェイス機能を司る。ＩＳＤＮインタフェイス部１６はＳ−interface 機能とＬＡＰ−Ｄ機能とで構成されている。Ｓ−interface は、Ｓ点のインタフェイスを意味しており、プロトコル処理機能, 保守機能, インタフェイス機能を含む。ＬＡＰ−Ｄ機能はＩＳＤＮのＤチャンネル用のプロトコルを制御する。ＬＡＰ−Ｂ機能部１７は、ＩＳＤＮのＢチャンネル用のプロトコルを制御して実際のデータ通信を行う。
【００１７】
図３は、上述したような構成を有する本発明のファクシミリ装置を子機としたファクシミリ通信の中継システムの一例を示す模式図である。図においてＡが画像データの発信元であるファクシミリ装置（親機）、Ｂが画像データ中継用の本発明のファクシミリ装置（子機）、Ｃ１〜Ｃ３が画像データの最終受信先である３個のファクシミリ装置（孫機）である。
【００１８】
親機Ａから子機Ｂへ画像データが送信されるが、この際、子機Ｂは後述するような手法にて親機Ａのファクシミリ番号である送信元番号を取得する。そして、子機Ｂは、前述した登録テーブル７ａに予め登録しておいた送信元番号にその取得した送信元番号が一致するか否かを判断し、一致する場合には、その登録テーブル７ａを参照して、自動的に各孫機Ｃ１〜Ｃ３を順次発呼して、親機Ａから受信した画像データを各孫機Ｃ１〜Ｃ３へ送信する。
【００１９】
次に、動作について説明する。図４，図５は、本発明のファクシミリ装置（子機Ｂ）における動作手順を示すフローチャートである。ファクシミリ通信が着信された場合（ステップＳ１：ＹＥＳ）、電話会社が行う発信元の電話番号通知サービスを利用して、呼び出し時に交換機から通知される発信元のファクシミリ番号を取得する（ステップＳ２）。そして、その回線（ＰＳＴＮ回線２１またはＩＳＤＮ回線２２）を閉結する（ステップＳ３）。
【００２０】
そして、受信した画像データを画像メモリ８に格納した後（ステップＳ４）、その回線（ＰＳＴＮ回線２１またはＩＳＤＮ回線２２）を開放する（ステップＳ５）。次いで、画像メモリ８に格納された受信画像データを読み出してプリンタ４にて用紙に印字する（ステップＳ６）。
【００２１】
取得した発信元番号が、登録テーブル７ａに登録されている発信元番号に一致するか否かを判断する（ステップＳ７）。一致しない場合には（Ｓ７：ＮＯ）、送信先の孫機が予め設定されている特定の親機からの画像データ受信ではないので、用紙への印字が終了すれば、画像メモリ８に格納されたその受信画像データは消去する（ステップＳ１５）。
【００２２】
一方、取得した発信元番号と登録テーブル７ａに登録されている発信元番号とが一致する場合（Ｓ７：ＹＥＳ）、送信先の孫機が予め設定されている特定の親機からの画像データ受信であるので、回線（ＰＳＴＮ回線２１またはＩＳＤＮ回線２２）を閉結し（ステップＳ８）、登録テーブル７ａを参照して送信先の孫機を発呼する（ステップＳ９）。
【００２３】
発呼した孫機から応答があったか否かを判断する（ステップＳ１０）。応答がない場合には（Ｓ１０：ＮＯ）、主制御部１内のタイマ（図示せず）を始動させ、タイマが所定時間を計時しない間は（ステップＳ１３：ＮＯ）、その孫機からの応答の有無を判断し、その孫機からの応答がなくてタイマが所定時間を計時すると（Ｓ１３：ＹＥＳ）、その回線（ＰＳＴＮ回線２１またはＩＳＤＮ回線２２）を開放する（ステップＳ１２）。
【００２４】
一方、発呼した孫機から応答があった場合には（Ｓ１０：ＹＥＳ）、先に親機から受信した画像データをその孫機へ送信した後（ステップＳ１１）、その回線（ＰＳＴＮ回線２１またはＩＳＤＮ回線２２）を開放する（Ｓ１２）。
【００２５】
登録テーブル７ａに登録されているすべての孫機に対する処理を終了したか否かを判断し（ステップＳ１４）、処理を行っていない孫機が残存する場合には（Ｓ１４：ＮＯ）、次の孫機に対してＳ８〜Ｓ１３の処理を繰り返す。一方、すべての孫機に対する処理を終了した場合には（Ｓ１４：ＹＥＳ）、画像メモリ８に格納されている親機からの受信画像データを消去する（Ｓ１５）。
【００２６】
上述した例では、電話会社の発信元番号通知サービスを利用して発信元のファクシミリ番号を取得するようにしたが、ファクシミリ手順において通知されるＴＳＩ信号のコード情報によって発信元のファクシミリ番号を取得するようにしても良い。図６，図７は、このように発信元のファクシミリ番号を取得する場合の動作手順を示すフローチャートである。
【００２７】
ファクシミリ通信が着信された場合（ステップＳ１：ＹＥＳ）、その回線（ＰＳＴＮ回線２１）を閉結する（ステップＳ３）。そして、ファクシミリ手順のフェーズＢで得られるＴＳＩ信号のコード情報から発信元のファクシミリ番号を取得する（ステップＳ２０）。
【００２８】
これ以降の動作処理（ステップＳ４〜Ｓ１５）は、上述した前例と同様であり、図４，図５と同一のステップ番号を付してこれらの説明は省略する。
【００２９】
なお、上述の発信元番号を取得する動作は、ＰＳＴＮ回線２１を利用するＧ３ファクシミリ通信時の場合のものであり、ＩＳＤＮ回線２２を利用するＧ４ファクシミリ通信の場合には、ＩＳＤＮ回線２２を閉結する前にファクシミリ通信が着信された時点で発信元番号を取得する。
【００３０】
なお、上述した実施の形態では、発呼後に所定時間が経過しても孫機からの応答がない場合にその孫機への画像データ送信を断念するように構成したが、所定時間経過後にリダイヤルを行うように構成することも可能である。
【００３１】
また、上述した実施の形態では、親機から受信した画像データを用紙に印刷するようにしたが、受信した画像データを画像メモリ８に格納さえしておけば、その画像データを孫機へ送信することは可能であるので、印刷を行わないようにしても良い。この印刷の有無は、自由に選択できる。
【００３２】
発信元番号の取得（Ｓ２）をするための方式及び手順は、国，地域，電話会社などによって異なるが、着信に応答する前に発信元番号を取得することができれば、本発明を適用することができる。
【００３３】
【発明の効果】
以上のように、本発明のファクシミリ装置では、取得した発信元番号と予め登録しておいた発信元番号とが一致した場合に、他のファクシミリ装置（親機）から受信した画像データを、登録テーブルを参照して、所望の更に他の１または複数のファクシミリ装置（孫機）へ自動的に送信できるので、他のファクシミリ装置（親機）と異なる会社製であっても中継送信は可能となり、他のファクシミリ装置（親機）からの指定がなくても自身単独で更に他のファクシミリ装置（孫機）を指定できる。
【００３４】
また、発信元番号を、呼び出し時に交換機から通知される番号、または、ファクシミリ手順で通知される番号として取得するようにしたので、発信元番号通知サービスまたはファクシミリ手順信号を利用して画像データの自動転送を容易に行える。
【図面の簡単な説明】
【図１】本発明のファクシミリ装置のハードウェア構成を示すブロック図である。
【図２】登録テーブルの一例を示す図である。
【図３】本発明のファクシミリ装置を子機としたファクシミリ通信の中継システムの一例を示す模式図である。
【図４】本発明のファクシミリ装置の動作の処理手順を示すフローチャートである。
【図５】本発明のファクシミリ装置の動作の処理手順を示すフローチャートである。
【図６】本発明のファクシミリ装置の動作の処理手順を示すフローチャートである。
【図７】本発明のファクシミリ装置の動作の処理手順を示すフローチャートである。
【符号の説明】
１  主制御部
７  ＲＡＭ
７ａ  登録テーブル
８  画像メモリ
Ａ  親機（第１ファクシミリ装置）
Ｂ  子機
Ｃ１〜Ｃ３  孫機（第２ファクシミリ装置）
【図１】
0003728908.tif 000002
【図２】
0003728908.tif 000003
【図３】
0003728908.tif 000004
【図４】
0003728908.tif 000005
【図５】
0003728908.tif 000006
【図６】
0003728908.tif 000007
【図７】
0003728908.tif 000008